(57)【特許請求の範囲】
【請求項１】
原稿の画像を読み取って多値画像データを生成するスキャナ部が接続されたレーザダイオード書込制御部とレーザダイオードの点灯／消灯制御を行なうレーザダイオード制御部とを多値制御用の画像データバスによって接続すると共に、前記レーザダイオード制御部と２値画像データを生成するプリンタコントローラとを２値制御用の画像データバスによって接続し、
前記レーザダイオード書込制御部に、前記スキャナ部からの多値画像データを前記レーザダイオード制御部へ転送する場合に、主走査同期検知用のレーザダイオード強制点灯信号を多値制御用クロックに同期させて前記多値制御用の画像データバスを介して前記レーザダイオード制御部へ転送し、該レーザダイオード制御部からの主走査同期信号の返送タイミングに応じて、前記スキャナ部からの多値画像データを多値制御用クロックに同期させて前記多値制御用の画像データバスを介して前記レーザダイオード制御部へ転送する手段と、前記プリンタコントローラからの２値画像データを前記レーザダイオード制御部へ転送する場合に、前記主走査同期検知用のレーザダイオード強制点灯信号を多値制御用クロックに同期させて前記多値制御用の画像データバスを介して前記レーザダイオード制御部へ転送し、該レーザダイオード制御部からの主走査同期信号の返送タイミングに応じて、前記プリンタコントローラに２値画像データの転送開始を指示する転送開始信号を出力する手段とを設け、
前記プリンタコントローラに、前記レーザダイオード書込制御部から前記転送開始信号を受信した時に、２値画像データを前記多値制御用クロックに同期させずに前記２値制御用の画像データバスを介して前記レーザダイオード制御部へ転送する手段を設けたことを特徴とする画像形成装置。
【請求項２】
前記多値制御用クロックが、前記２値画像データの１ドット周期に応じた周波数より低い周波数のクロックであることを特徴とする請求項１記載の画像形成装置。
【請求項３】
請求項１又は２記載の画像形成装置において、前記多値制御用クロックの周波数を変更可能に設定するクロック周波数設定手段を設けたことを特徴とする画像形成処理装置。
【発明の詳細な説明】
【０００１】
【発明の属する技術分野】
この発明は、画像形成用の画像データをレーザダイオード（以下「ＬＤ」と略称する）制御部へ転送して、ＬＤから発生されるレーザ光によって感光体の有効画像領域に画像を書き込ませるＬＤ書込制御部を備えたレーザプリンタ等の光プリンタ，普通紙ファックス装置，デジタル複写機，デジタル複合機などの電子写真方式を用いた画像形成装置に関する。
【０００２】
【従来の技術】
上記のような画像形成装置としては、多値画像データを生成する多値画像データ生成処理部（例えばスキャナ部）及び２値画像データを生成する２値画像データ生成処理部（例えばプリンタコントローラ）が接続されたＬＤ書込制御部とＬＤの点灯／消灯制御を行なうＬＤ制御部とを２値制御用と多値制御用の少なくとも２系統の画像データバスによって接続したものがある。
【０００３】
ＬＤ書込制御部は、多値画像データ生成処理部からの多値画像データあるいは２値画像データ生成処理部からの２値画像データをＬＤ制御部へ転送する際、主走査同期検知用のＬＤ強制点灯信号をクロック（２値制御用又は多値制御用のクロック）に非同期であるいは同期させてＬＤ制御部へ転送し、そのＬＤ制御部からの主走査同期検知信号の返送タイミングに応じて多値画像データあるいは２値画像データをクロックに非同期であるいは同期させてＬＤ制御部へ転送する。
【０００４】
なお、感光体の有効画像領域の直前のレーザ光が照射される位置にはビームセンサ（同期検知器）が配置されており、ＬＤ制御部がＬＤ強制点灯信号の入力によってＬＤを全点灯させた時に、そのビームセンサが感光体の有効画像領域を走査する直前のレーザ光を検知し、画像形成用のレーザ光の発光開始タイミングを制御するための主走査同期検知信号を出力する。
【０００５】
しかし、扱う画像データが２値画像データと多値画像データの違いはあっても、その画像データに応じたレーザ光による画像書込制御に関してはクロック非同期とクロック同期の混在した制御方式によってＬＤの点灯／消灯制御を行なうようにした画像形成装置は存在しなかった。
【０００６】
ところが、近年、２値画像データと多値画像データを両方扱うデジタル複写機もしくはデジタル複合機等の画像形成装置が出回っており、扱う様々な画像データの組み合わせによってはクロック非同期とクロック同期の混在した制御方式によるＬＤの点灯／消灯制御を必要とする画像形成装置も製品化される可能性がある。このような画像形成装置におけるＬＤ書込制御部とＬＤ制御部との接続関係の一例を図９に示す。
【０００７】
図９のＬＤ書込制御部１０１は、ＬＤ制御部１０２へ多値画像データ（例えばスキャナ部からの複写画像データ）を転送する場合には、ＬＤ強制点灯信号及びその多値画像データを信号／ＷＤ０〜７として、多値制御用クロックとしての信号／ＬＤＣＬＫに同期させて多値制御用の画像データバス（多値制御バス）１０３を介してＬＤ制御部１０２へ転送する。
【０００８】
また、ＬＤ書込制御部１０１がＬＤ制御部１０２へ２値画像データ（例えばプリンタコントローラからのプリント画像データ）を転送する場合には、ＬＤ強制点灯信号及びその２値画像データを信号／ＬＤＯＮとして、クロック非同期で２値制御用の画像データバス（２値制御バス）１０４を介してＬＤ制御部１０２へ転送する。
【０００９】
ここで、例えば２値画像データが６００ｄｐｉの解像度を扱うデータであり、この時の１ドットに対応するクロック周波数を周波数Ａとした場合、ＬＤ強制点灯信号も２値画像データとして同じクロック周波数である周波数Ａにて制御している。
【００１０】
以下、ＬＤ書込制御部１０１及びＬＤ制御部１０２の動作について、図１０のタイミングチャートを参照してもう少し具体的に説明する。
ＬＤ書込制御部１０１は、図１０のＡ点で示すある一定のタイミングでＬＤ強制点灯信号をアサート（ローレベル“Ｌ”に）することにより、ＬＤ制御部１０２のＬＤ１０２ａを強制点灯させ、このＬＤ強制点灯に呼応してＬＤ制御部１０２より同期検知信号（／ＤＥＴＰ）が帰還されるため、ＬＤ強制点灯信号をＯＦＦ（ハイレベル“Ｈ”）にする。
【００１１】
また、同期検知信号（／ＤＥＴＰ）により、主走査同期信号（／ＬＳＹＮＣ），主走査画像領域信号（／ＬＧＡＴＥ）を生成し、主走査画像領域信号（／ＬＧＡＴＥ）のアサート区間において、感光体の有効画像領域にレーザ光によって書き込まれる画像データ（斜線を施して示す）の出力制御を行なう。
【００１２】
ここで、ＬＤ書込制御部１０１からＬＤ制御部１０２への画像データ転送制御が２値制御の場合は、信号／ＬＤＯＮにより、感光体の有効画像領域に画像を書き込むためのＬＤ１０２ａの点灯／消灯及び強制点灯が行なわれる。但し、この場合は直接信号／ＬＤＯＮがＬＤ１０２ａの点灯／消灯を行なうため、信号ＷＤ０〜７に同期したクロックである信号ＬＤＣＬＫが停止状態でも画像書込制御は可能となる。
【００１３】
ＬＤ書込制御部１０１からＬＤ制御部１０２への画像データ転送制御が多値制御の場合は、信号ＷＤ０〜７と信号ＬＤＣＬＫにより、感光体の有効画像領域に画像を書き込むためのＬＤ１０２ａの点灯／消灯及び強制点灯が行なわれる。この場合は、ＬＤ書込制御部１０１から出力される多値画像データを示す信号ＷＤ０〜７をＬＤ制御部１０２で画像１ドット毎に確定させ、ＬＤ１０２ａの複数の点灯状態と消灯の制御を行なうため、信号ＷＤ０〜７に同期したクロックである信号ＬＤＣＬＫは常時出力状態にて画像書込制御が行なわれることになる。
【００１４】
したがって、例えば原稿の画像を読み取って多値画像データ（複写画像データ）を出力するスキャナ部とホストコンピュータ等の外部装置からのコード情報に基づいて生成した２値画像データ（プリント画像データ）を出力するプリンタコントローラがＬＤ書込制御部１０１に接続されている場合、そのＬＤ書込制御部１０１は図１１に示すようにスキャナ部からの複写画像データを多値制御バス１０３を介してＬＤ制御部１０２へ、プリンタコントローラからのプリント画像データを２値制御バス１０４を介してＬＤ制御部１０２へそれぞれ上述の制御によって転送することができる。
【００１５】
【発明が解決しようとする課題】
しかしながら、クロック非同期とクロック同期の混在した制御方式によってＬＤの点灯／消灯制御を行なうようにすると、画像形成装置のコストが大幅に上昇するという問題が生じる。
この発明は上記の点に鑑みてなされたものであり、クロック非同期とクロック同期の混在した制御方式によってＬＤの点灯／消灯制御を行なう画像形成装置において、ＬＤ書込制御部を簡素化して装置全体のコストダウンを達成することを目的とする。
【００１６】
【課題を解決するための手段】
この発明は上記の目的を達成するため、原稿の画像を読み取って多値画像データを生成するスキャナ部（多値画像データ生成処理部）が接続されたＬＤ書込制御部とＬＤの点灯／消灯制御を行なうＬＤ制御部とを多値制御用の画像データバスによって接続すると共に、ＬＤ制御部と２値画像データを生成するプリンタコントローラ（２値画像データ生成処理部）とを２値制御用の画像データバスによって接続し、ＬＤ書込制御部に、スキャナ部からの多値画像データをＬＤ制御部へ転送する場合に、主走査同期検知用のＬＤ強制点灯信号を多値制御用クロックに同期させて多値制御用の画像データバスを介してＬＤ制御部へ転送し、そのＬＤ制御部からの主走査同期信号の返送タイミングに応じて、スキャナ部からの多値画像データを多値制御用クロックに同期させて多値制御用の画像データバスを介してＬＤ制御部へ転送する手段と、プリンタコントローラからの２値画像データをＬＤ制御部へ転送する場合に、主走査同期検知用のＬＤ強制点灯信号を多値制御用クロックに同期させて多値制御用の画像データバスを介してＬＤ制御部へ転送し、そのＬＤ制御部からの主走査同期信号の返送タイミングに応じて、プリンタコントローラに２値画像データの転送開始を指示する転送開始信号を出力する手段とを設け、プリンタコントローラに、ＬＤ書込制御部から転送開始信号を受信した時に、２値画像データを多値制御用クロックに同期させずに（クロック非同期で）２値制御用の画像データバスを介してＬＤ制御部へ転送する手段を設けたものである。
【００１７】
なお、多値制御用クロックを、上記２値画像データの１ドット周期に応じた周波数より低い周波数のクロックとすればよい。
また、多値制御用クロックの周波数を変更可能に設定するクロック周波数設定手段を設けることが望ましい。
【００１８】
この発明による画像形成装置では、プリンタコントローラが２値画像データをＬＤ制御部に転送する場合、ＬＤ書込制御部が、主走査同期検知用のＬＤ強制点灯信号を多値制御用クロックに同期させて多値制御用の画像データバスを介してＬＤ制御部へ転送することにより、そのＬＤ制御部から主走査同期信号が出力されるため、その出力タイミングに応じてプリンタコントローラに２値画像データの転送開始を指示する転送開始信号を出力し、プリンタコントローラが、その転送開始信号を受信することにより、２値画像データを多値制御用クロックに同期させずに（クロック非同期で）２値制御用の画像データバスを介してＬＤ制御部に転送することができる。
【００１９】
このように、プリンタコントローラが２値画像データをＬＤ制御部へ転送する場合には、ＬＤ書込制御部はＬＤ強制点灯信号を２値制御用の画像データバスでなく多値制御用の画像データバスを介してＬＤ制御部へ転送するため、ＬＤ書込制御部の回路構成が簡素化され、装置全体のコストダウンを達成することができる。
【００２０】
なお、多値制御用クロックを上記２値画像データの１ドット周期に応じた周波数より低い周波数のクロックとし、ＬＤ書込制御部が主走査同期検知用のＬＤ強制点灯信号をその多値制御用クロックに同期させてＬＤ制御部へ転送することにより、画像形成装置の電界強度の放射ノイズレベルの低減と、回路設計時の各搭載デバイスの最大動作周波数の低周波数化によるコストダウンと設計の容易化を達成することもできる。
【００２１】
また、多値制御用クロックの周波数を変更可能に設定するクロック周波数設定手段を設けるようにすれば、多値制御用クロック選定時の自由度を向上させ、クロック周波数設定時間の短縮を図ることもできる。
【００２２】
【発明の実施の形態】
以下、この発明の実施形態を図面に基づいて具体的に説明する。
図２はこの発明を実施した画像形成装置であるデジタル複写機の一例を示す概略構成図であり、スキャナ部１とプリンタ部２０とよって構成される。
【００２３】
まず、スキャナ部１について説明する。
スキャナ部１における原稿の載置のためのコンタクトガラス２は、光源３ａ，３ｂによって照射され、読み取り原稿からの反射光はミラー４，６，７，９，１０，及びレンズ１１を介してＣＣＤイメージセンサ１２の受光面に結像される。光源３３ａ，３３ｂ及びミラー４は、コンタクトガラス２の下面をそれと平行に副走査方向に移動する走行体５に搭載され、ミラー６，７はその走行体５に連動して１／２の速度で副走査方向に移動する走行体８に搭載されている。
【００２４】
主走査方向のスキャンは、ＣＣＤイメージセンサ１２の個体走査によって行なわれ、原稿画像はＣＣＤイメージセンサ１２によって読み取られ、上述のような光学系が移動することによって原稿全体が走査されるようになっている。なお、１３は、原稿を押圧するための圧板である。
【００２５】
次に、プリンタ部２０について説明する。
プリンタ部２０は、レーザ書き込み系，画像再生系，並びに給紙系によって構成される。
レーザ書き込み系は、レーザ出力ユニット２１，結像レンズ２２，並びにミラー２３を備えている。
【００２６】
レーザ出力ユニット２１の内部には、レーザ光源であるＬＤ及び電気モータによって高速で回転する多角形ミラー（ポリゴンミラー）が設けられている。
レーザ書き込み系から出力されるレーザ光が画像再生系の感光体ドラム２４に照射される。感光体ドラム２４の周囲には、帯電チャージャ２５，イレーサ２６，現像ユニット２７，転写チャージャ２８，分離チャージャ２９，分離爪３０，クリーニングユニット３１が備えられている。
【００２７】
なお、感光体ドラム２４の有効画像領域の直前のレーザ光が照射される位置には、図示しないビームセンサ（同期検知器）が配置されている。
このビームセンサは、感光体ドラム２４の有効画像領域を走査する直前のレーザ光を検知し、１主走査毎に画像形成用のレーザ光の発光開始タイミングを制御するための主走査同期検知信号を出力する。
【００２８】
このプリンタ部２０における画像再生プロセスを簡単に説明する。
感光体ドラム２４の周面は、帯電チャージャ２５によって一様に高電位に帯電される。そして、その周面にレーザ光が照射されると、その照射された部分は電位が下がる。レーザ光は記録再生の黒／白に応じてＯＮ／ＯＦＦ制御されるので、レーザ光の照射によって感光体ドラム２４の周面に記録画像に対応する電位分布、つまり静電潜像が形成される。
【００２９】
その静電潜像が形成された部分が現像ユニット２７を通ると、その電位の高低に応じてトナーが付着されて静電潜像が可視化されたトナー像となる。そのトナー像が形成された部分に、所定のタイミングで後述する給紙系から記録シートが送り込まれ、トナー像に重なる。このトナー像は転写チャージャ２８によって記録シートに転写され、その後分離チャージャ２９並びに分離爪３０によってその記録シートは感光体ドラム２４から分離された後、搬送ベルト３４によって搬送され、ヒータ内蔵の定着ローラ３５によって加熱定着された後、排紙トレイ３６に排紙される。
【００３０】
また、この実施形態では、プリンタ部２０は給紙系を２系統有している。一方の給紙系には、上段給紙カセット３３ａ及び手差し給紙台３３ｃが備えられ、上段給紙カセット３３ａ又は手差し給紙台３３ｃにセットされた記録シートは給紙ローラ３７ａによって給紙される。もう一方の給紙系には、下段給紙カセット３３ｂが備えられ、その下段給紙カセット３３ｂ内の記録シートは給紙ローラ３７ｂによって給紙される。そして、いずれかの給紙ローラによって給紙された記録シートはレジストローラ３８に当接した状態で一旦停止し、記録プロセスの進行に同期したタイミングで感光体ドラム２４に送り込まれる。
【００３１】
図１は、このデジタル複写機におけるＬＤ書込制御部とＬＤ制御部とプリンタコントローラとの接続関係の一例を示すブロック図である。
このデジタル複写機では、スキャナ部１（多値画像データ生成処理部）が接続されたＬＤ書込制御部５１とＬＤ５２ａの点灯／消灯制御を行なうＬＤ制御部５２とを多値制御用の画像データバス（多値制御用バス）５３等によって接続すると共に、ＬＤ制御部５２とプリンタコントローラ（２値画像データ生成処理部）５４とを２値制御用の画像データバス（２値制御用バス）５５等によって接続している。
【００３２】
ＬＤ書込制御部５１は、第１，第２の転送制御手段としての機能を持ち、スキャナ部１からの複写画像データ（多値画像データ）をＬＤ制御部５２へ転送する場合には、主走査同期検知用のＬＤ強制点灯信号を信号／ＷＤ０〜７として多値制御用クロックである信号／ＬＤＣＬＫに同期させて多値制御バス５３を介してＬＤ制御部５２へ転送し、そのＬＤ制御部５２からの同期検知信号（／ＤＥＴＰ）の返送タイミングに応じてスキャナ部１からの複写画像データを信号／ＷＤ０〜７として信号／ＬＤＣＬＫに同期させて多値制御バス５３を介してＬＤ制御部５２へ転送する。
【００３３】
また、プリンタコントローラ５４からのプリント画像データ（２値画像データ）をＬＤ制御部５２に転送する場合にも（この時プリンタコントローラ５４から転送要求信号を受信する）、主走査同期検知用のＬＤ強制点灯信号を信号／ＷＤ０〜７として信号／ＬＤＣＬＫに同期させて多値制御バス５３を介してＬＤ制御部５２へ転送し、そのＬＤ制御部５２からの同期検知信号（／ＤＥＴＰ）の返送タイミングに応じてプリンタコントローラ５４にプリント画像データの転送開始を指示する信号（転送開始信号）を出力する。
【００３４】
プリンタコントローラ５４は、第３の転送制御手段としての機能を持ち、図示しないホストコンピュータ等の外部装置からの文字コード等のコード情報が送られてくると、それに基づいてプリント画像データを生成し、それをＬＤ制御部５２に転送するために転送要求信号をＬＤ書込制御部５１に出力し、そのＬＤ書込制御部５１から転送開始信号を受信した時に、生成したプリント画像データを信号／ＬＤＯＮとしてクロック非同期で２値制御バス５５を介してＬＤ制御部５２へ転送する。
【００３５】
なお、プリンタコントローラ５４が、ＬＤ制御部５２からの同期検知信号（／ＤＥＴＰ）を直接受信するようにし、そのタイミング（返送タイミング）に応じてプリント画像データを信号／ＬＤＯＮとしてクロック非同期で２値制御バス５５を介してＬＤ制御部５２へ転送するようにしてもよい。
ＬＤ制御部５２は、ＬＤ書込制御部５１又はプリントコントローラ５４からの画像データに応じてＬＤ５２ａの点灯／消灯制御を行なう。
【００３６】
図３は、ＬＤ制御部５２の構成例を示すブロック図である。
このＬＤ制御部５２は、ＬＤ５２ａ（実際には図２のレーザ出力ユニット２１側に設けられている）の他に、８個のデータラッチ６１〜６８，データルックアップテーブル６９，インバータ７０，５つのＯＲゲート７１〜７５，及びＬＤ駆動回路７６を備えている。
【００３７】
このＬＤ制御部５２において、プリンタコントローラ５４から信号／ＬＤＯＮとして入力されたプリント画像データ（２値画像データ）は、インバータ７０，ＯＲゲート７１〜７５を介してＬＤ駆動回路７６に出力されることにより、そのＬＤ駆動回路７６によってＬＤ５２ａの点灯／消灯制御が行なわれる。
【００３８】
また、スキャナ部１からＬＤ書込制御部５１を介して信号ＷＤ０〜７として入力された複写画像データ（多値画像データ）は、各データラッチ６１〜６８により信号ＬＤＣＬＫに同期してデータルックアップテーブル６９に出力され、一旦画像１ドット毎にデータが確定された後、各ＯＲゲート７１〜７５を介してＬＤ駆動回路７６に出力されることにより、そのＬＤ駆動回路７６によってＬＤ５２ａの点灯制御が行なわれる。
【００３９】
ＬＤ駆動回路７６は、例えば表１に示すように、最終的な点灯制御信号となるＤ０〜４に応じてＬＤ５２ａを点灯制御する。すなわち、ＬＤ５２ａをＤ０〜４が「１Ｆｈ」であれば全点灯状態にする（この時のＷＤ０〜７は「ＦＦｈ」）。また、「００ｈ」であれば全消灯状態にする。さらに、「０１ｈ〜１Ｅｈ」であれば未全点灯状態（全点灯状態より弱い点灯状態）にする。
【００４０】
【表１】
0003574724.tif 000002
【００４１】
以下、ＬＤ書込制御部５１及びＬＤ制御部５２の動作について、図４及び図５のタイミングチャートを参照してもう少し具体的に説明する。
ＬＤ書込制御部５１は、プリンタコントローラ５４から転送要求信号を受信すると、図４のＡ点に示すある一定のタイミングでＬＤ強制点灯信号をアサート（転送）することにより、ＬＤ制御部５２のＬＤ５２ａを強制点灯させる。
【００４２】
この場合、そのＬＤ強制点灯信号を信号ＷＤ０〜７（ＦＦｈ）として信号ＬＤＣＬＫに同期させて多値制御バス５３を介してＬＤ制御部５２へ転送する。ＬＤ強制点灯信号によってＬＤ５２ａが強制点灯されると、ＬＤ制御部５２より同期検知信号（／ＤＥＴＰ）が帰還するため、ＬＤ強制点灯信号をＯＦＦにする。
【００４３】
また、同期検知信号（／ＤＥＴＰ）により、主走査同期信号（／ＬＳＹＮＣ），主走査画像領域信号（／ＬＧＡＴＥ信号）を生成し、主走査画像領域信号（／ＬＧＡＴＥ）のアサート区間において、プリンタコントローラ５４に転送開始信号を出力し、そのプリント画像データを信号／ＬＤＯＮとして２値制御バス５５を介してＬＤ制御部５２へ転送させる。
ここで、信号ＬＤＣＬＫの周波数Ａは、図５に示すように、信号／ＬＤＯＮ（２値画像データ）の１ドット周期に応じた周波数と同一であるものとする。
【００４４】
このように、この実施形態のデジタル複写機では、図６に示すように、プリンタコントローラ５４がプリント画像データ（２値画像データ）をＬＤ制御部５２に転送する場合、ＬＤ書込制御部５１が主走査同期検知用のＬＤ強制点灯信号を信号ＷＤ０〜７として多値制御用クロックに同期させて多値制御バス５３を介してＬＤ制御部５２へ転送することにより、そのＬＤ制御部５２から主走査同期信号が出力されるため、プリンタコントローラ５４がその主走査同期信号の出力タイミングに応じてプリント画像データを／ＬＤＯＮとしてクロック非同期で２値制御バス５５を介してＬＤ制御部５２へ転送することができる。
【００４５】
すなわち、プリンタコントローラ５４がプリント画像データをＬＤ制御部５２へ転送する場合には、ＬＤ書込制御部５１は主走査同期検知用のＬＤ強制点灯信号を２値制御バス５５でなく多値制御バス５３を介してＬＤ制御部５２へ転送するため、ＬＤ書込制御部５１の回路構成が簡素化され、装置全体のコストダウンを達成することができる。
【００４６】
なお、この実施形態のデジタル複写機では、多値制御用クロックである信号ＬＤＣＬＫの周波数Ａをプリント画像データ（２値画像データ）である信号／ＬＤＯＮの１ドット周期に応じた周波数と同じにしたが（図５参照）、例えば図７に示すように信号／ＬＤＯＮの１ドット周期に応じた周波数（周波数Ａ）より低い周波数Ｂ（例えば４００ｄｐｉの書込周期に応じた周波数）に設定することもできる。
【００４７】
それによって、感光体ドラム２４の有効画像領域にレーザ光によって書き込まれる画像データが、スキャナ部１によって原稿から読み取られた複写画像データ（４００ｄｐｉ）とプリンタコントローラ５４によって生成されたプリント画像データ（６００ｄｐｉ）の２種類ある場合には、ＬＤ書込制御部５１は主走査同期検知用のＬＤ強制点灯信号を信号ＷＤ０〜７として信号ＬＤＣＬＫに同期させて（スキャナ部１により原稿から読み取られる複写画像データと同じ４００ｄｐｉの書込周期にて）ＬＤ制御部５２へ転送した後、プリンタコントローラ５４にプリント画像データを信号／ＬＤＯＮ（６００ｄｐｉの書込周期）としてＬＤ制御部５２へ転送させることができる。
【００４８】
すなわち、プリンタコントローラ５４で生成されたプリント画像データによる画像を６００ｄｐｉの周波数でレーザ光として感光体ドラム２４の有効画像領域に書き込む場合でも、ＬＤ書込制御部５１の全体の動作クロック周波数を４００ｄｐｉの動作クロック周波数に設定でき、ＬＤ書込制御部５１の動作周波数の低減を図ることができる。
したがって、このデジタル複写機の電界強度の放射ノイズレベルの低減と、回路設計時の各搭載デバイスの最大動作周波数の低周波数化によるコストダウンと設計の容易化を達成することもできる。
【００４９】
さらに、ＬＤ書込制御部５１に、図８に示すように多値制御用クロックである信号ＬＤＣＬＫの周波数を変更可能なＶＧＯ（電圧制御発振器）等の制御クロック発生部８０を備え（実際にはＬＤ書込制御部５１に内蔵される）、図示しない操作部等から信号ＬＤＣＬＫの周波数を設定可能にすることもできる。このようにすれば、制御クロック発生部８０から発生される信号ＬＤＣＬＫの周波数を４００ｄｐｉの書込周波数と同じ値あるいはそれ以下の値に任意に設定することができる。
【００５０】
なお、プリンタコントローラ５４で生成されるプリント画像データによる画像を４００ｄｐｉの周波数でレーザ光として感光体ドラム２４の有効画像領域に書き込む場合、ＬＤ書込制御部５１を４００ｄｐｉ以下の動作周波数で動作させることができる。
したがって、多値制御用クロック選定時の自由度が向上し、クロック周波数設定時間の短縮を図ることもできる。
【００５１】
以上、この発明をデジタル複写機に適用した実施形態について説明したが、この発明はこれに限らず、レーザプリンタ等の光プリンタ，デジタル複合機，普通紙ファックス装置などの電子写真方式を用いた各種の画像形成装置に適用し得るものである。
【００５２】
【発明の効果】
以上説明してきたように、この発明によれば、クロック非同期とクロック同期の混在した制御方式によってＬＤの点灯／消灯制御を行なう画像形成装置においても、ＬＤ書込制御部を簡素化して装置全体のコストダウンを達成することができる。
【図面の簡単な説明】
【図１】図２に示したデジタル複写機におけるＬＤ書込制御部とＬＤ制御部とプリンタコントローラとの接続関係の一例を示すブロック図である。
【図２】この発明を実施した画像形成装置であるデジタル複写機の一例を示す概略構成図である。
【図３】図１のＬＤ制御部５２の構成例を示すブロック図である。
【図４】図１のＬＤ書込制御部５１，ＬＤ制御部５２，プリンタコントローラ５４におけるプリント画像データ（２値画像データ）転送時の動作例を示すタイミング図である。
【図５】図１のＬＤ書込制御部５１から出力されるＬＤ強制点灯信号（ＷＤ０〜７）及び多値制御用クロック（ＬＤＣＬＫ）とプリンタコントローラ５４から出力されるプリント画像データ（／ＬＤＯＮ）の１ドット周期に応じた周期数の関係の一例を示すタイミング図である。
【図６】図１のＬＤ書込制御部５１，ＬＤ制御部５２，プリンタコントローラ５４におけるプリント画像データ転送時の動作説明に供する図である。
【図７】図１のＬＤ書込制御部５１から出力されるＬＤ強制点灯信号（ＷＤ０〜７）及び多値制御用クロック（ＬＤＣＬＫ）とプリンタコントローラ５４から出力されるプリント画像データ（／ＬＤＯＮ）の１ドット周期に応じた周期数の関係の他の例を示すタイミング図である。
【図８】この発明の他の実施形態である画像形成装置における制御クロック発生部とＬＤ書込制御部とＬＤ制御部とプリンタコントローラとの接続関係の一例を示すブロック図である。
【図９】従来の画像形成装置におけるＬＤ書込制御部とＬＤ制御部との接続関係の一例を示すブロック図である。
【図１０】図９のＬＤ書込制御部１０１，ＬＤ制御部１０２における多値画像データ及び２値画像データ転送時の動作例を示すタイミング図である。
【図１１】図９のＬＤ書込制御部１０１，ＬＤ制御部１０２における多値画像データ及び２値画像データ転送時の動作説明に供する図である。
【符号の説明】
１：スキャナ部                ２０：プリンタ部
５１：ＬＤ書込制御部          ５２：ＬＤ制御部
５２ａ：ＬＤ                  ５３：多値制御バス
５４：プリンタコントローラ    ５５：２値制御バス
６１〜６８：データラッチ
６９：データルックアップテーブル
７０：インバータ          ７１〜７５：ＯＲゲート
７６：ＬＤ駆動回路        ８０：制御クロック発生部
【図１】
0003574724.tif 000003
【図５】
0003574724.tif 000004
【図６】
0003574724.tif 000005
【図２】
0003574724.tif 000006
【図３】
0003574724.tif 000007
【図４】
0003574724.tif 000008
【図７】
0003574724.tif 000009
【図８】
0003574724.tif 000010
【図９】
0003574724.tif 000011
【図１０】
0003574724.tif 000012
【図１１】
0003574724.tif 000013